(57)【特許請求の範囲】
【請求項１】
ベッド装置における起伏機能を有する背に対応する背ボトムのベッド幅方向端面側に装着した支柱部と、この支柱部上端側に支持した柵部とを備え、前記支柱部は、前記背ボトムのベッド幅方向端面に配した移動支持手段を介してベッド長手方向に移動可能に支持してなり、前記支柱部を、常時ベッド長手方向中央側へ移動するように付勢した状態で、前記背ボトムの起床動作に連動して前記支柱部を介し前記柵部をベッド長手方向端部側に移動させる背ボトム起伏連動手段を設けたことを特徴とする起伏式ボトム連動型側柵装置。
【請求項２】
前記支柱部は、基端部を前記移動支持手段に背ボトムの下方から上方に格納突出可能に取り付ける一方、上端部を柵部に回動可能に取り付けた第１ステーと、第１ステー両側面に隣接する一対の第２ステーとを有し、前記第１ステーの中央箇所に、第１ステーと第２ステーとを拘束して、前記第１、２ステーおよび柵部を背ボトム上方に突出状態で保持するためのロックユニットを組み込む構成としたことを特徴とする請求項１記載の起伏式ボトム連動型側柵装置。
【請求項３】
前記移動支持手段は、前記背ボトムのベッド幅方向端面に沿って配したガイド部材と、前記支柱部を支持して前記ガイド部材に移動可能に装着した移動基部とを有し、前記背ボトム起伏連動手段は、前記移動基部の一端側に、付勢手段を介して腰ボトム寄りの端部側と連結する一方、移動基部の他端側に線状部材を、背ボトムのヘッドボード寄りの端部側に設けたプーリに掛け渡し、前記線状部材をメインフレームに取り付けて張設して構成したことを特徴とする請求項１または２記載の起伏式ボトム連動型側柵装置。
【発明の詳細な説明】
【０００１】
【発明の属する技術分野】
本発明は、ベッド等のボトムに直接取り付ける構造とすると共に、ベッド長手方向に沿って移動可能に支柱部を装着してなる、起伏式ボトム連動型側柵装置に関するものである。
【０００２】
【従来の技術】
従来、ベッド等（病院用ベッド、在宅用ベッド、移送用ベッド、ＩＣＵベッド等）に設けられる側柵には、例えば、ベッド等のサイドフレーム上に穿設された取付穴に着脱可能に構成された差込柵があり、近年では、ボトム側面に直接固定したボトム取付型側柵も提案されている。かかる側柵をギャッチベッド（ボトムの起伏機構を備えたベッド）の頭側、足側に装着すれば、ギャッチ動作させた際も、ボトムの動きに側柵が追従するので、常に、側柵は、使用者を側面に倒れ込んでも支えることができるという、安全上、好ましい機能がもたらされている。
【０００３】
【発明が解決しようとする課題】
しかしながら、ベッドの頭側、足側の側柵間の間隔が狭いと、ギャッチベッドのギャッチ動作時、双方の柵部がぶつかり合ってしまうので、前記ベッドの頭側、足側の側柵間の間隔は、所定間隔開ける設定となっており、このため、この頭側、足側の側柵間から、使用者が転落するおそれがある。
本発明は、以上のような背景から提案されたものであって、ベッド等のボトムに直接取り付ける構造とすると共に、ボトム長手方向に沿って移動可能に支柱部を装着してなる、起伏式ボトム連動型側柵装置を提供することを目的とする。
【０００４】
【課題を解決するための手段】
前記した課題を解決するために、本発明では、請求項１において、ベッド装置における起伏機能を有する背に対応する背ボトムのベッド幅方向端面側に装着した支柱部と、この支柱部上端側に支持した柵部とを備え、前記支柱部は、前記背ボトムのベッド幅方向端面に配した移動支持手段を介してベッド長手方向に移動可能に支持してなり、前記支柱部を、常時ベッド長手方向中央側へ移動するように付勢した状態で、前記背ボトムの起床動作に連動して前記支柱部を介し前記柵部をベッド長手方向端部側に移動させる背ボトム起伏連動手段を設けた起伏式ボトム連動型側柵装置を提案する。
また本発明では、請求項２において、前記支柱部は、基端部を前記移動支持手段に背ボトムの下方から上方に格納突出可能に取り付ける一方、上端部を柵部に回動可能に取り付けた第１ステーと、第１ステー両側面に隣接する一対の第２ステーとを有し、前記第１ステーの中央箇所に、第１ステーと第２ステーとを拘束して、前記第１、２ステーおよび柵部を背ボトム上方に突出状態で保持するためのロックユニットを組み込む構成とした起伏式ボトム連動型側柵装置を提案する。
さらに本発明では、請求項３において、前記移動支持手段は、前記背ボトムのベッド幅方向端面に沿って配したガイド部材と、前記支柱部を支持して前記ガイド部材に移動可能に装着した移動基部とを有し、前記背ボトム起伏連動手段は、前記移動基部の一端側に、付勢手段を介して腰ボトム寄りの端部側と連結する一方、移動基部の他端側に線状部材を、背ボトムのヘッドボード寄りの端部側に設けたプーリに掛け渡し、前記線状部材をメインフレームに取り付けて張設して構成した起伏式ボトム連動型側柵装置を提案する。
【０００５】
請求項１によれば、背ボトムを起床動作させると、柵部は支柱部を介し、背ボトム起伏連動手段により、移動支持手段を介してベッド長手方向端部側に移動し、背ボトムを倒伏復帰させると、前記柵部は、ベッド長手方向中央側へ移動復帰する。
【０００６】
請求項２によれば、使用時に柵部を第１、２ステーと共に背ボトム上方にロックユニットにより突出状態で保持し、一方、非使用時には、背ボトム下方に前記柵部を第１、２ステーと共に格納しておくので、ベッドへの乗り降りの際、介護作業の際は、側柵は邪魔とはならない。
【０００７】
請求項３によれば、背ボトムの傾斜に従って、背ボトム起伏連動手段における付勢手段の付勢下に、ガイド部材に沿って、支柱部を支持する移動基部を連動移動させて柵部をヘッドボード側に移動させ、前記背ボトムを平担に復帰させるに従って、支柱部を支持する移動基部を前記ガイド部材に沿って、ベッド中央側に移動復帰させることができる。
【０００８】
【発明の実施の態様】
次に、本発明にかかる起伏式ボトム連動型側柵装置について、一つの実施の形態を示し、添付の図面に基づいて以下説明する。
図１に、ベッド装置１の頭側、足側にそれぞれ本発明にかかる起伏式ボトム連動型側柵装置２（以下、側柵装置２）を装着したところを示している。
このベッド装置１は、ボトム３の起伏機構（背上げ、膝上げ）を備えたもので、ボトム３は、背に対応する背ボトム３ａ、腰に対応する腰ボトム３ｂ、膝に対応する膝ボトム３ｃ、足に対応する足ボトム３ｄに分割され、また、背ボトム３ａと腰ボトム３ｂとの間に湾曲ボトム３ｅ、膝ボトム３ｃと足ボトム３ｄとの間に湾曲ボトム３ｆを配置し、起伏機構を起動して背上げを行う際、適度な曲率で曲がるようにした構成としている。
そして、前記側柵装置２は、背ボトム３ａおよび足ボトム３ｄの、ベッド幅方向端面側に、格納突出可能に装着したもので、この側柵装置２は、ベッド幅方向端面側に、ボトム下方から上方に格納突出可能に装着した支柱部４を有し、この支柱部４上端側に回動可能に柵部５を支持した構成としている（図２参照）。
また、この柵部５には、前記支柱部４および柵部５を背ボトム３ａ上方に突出状態で保持するようにしたロックユニット６を設けている。
【０００９】
前記支柱部４は、背ボトム３ａのベッド幅方向端面に配した移動支持手段７を介してベッド長手方向に移動可能に支持しており、基端部を移動支持手段７に回動自在に取り付ける一方、上端部を柵部５に回動可能に取り付けた第１のステー８と、第１ステー８両側面に隣接するように一対の第２のステー９とを有している。また、前記第１ステー８の中央箇所には、第１ステー８と第２ステー９とを拘束するロックユニット６を組み込んでいる。
【００１０】
そして前記移動支持手段７は、図２、図３に示すように前記背ボトム３ａのベッド幅方向端面に沿って配したガイド部材１０と、支柱部４である第１、第２ステー８、９基端側を取り付けて、前記ガイド部材１０に移動可能に装着した移動基部１１とを有し、背ボトム３ａの動作に連動して移動基部１１を前記ガイド部材１０に沿って移動させる背ボトム起伏連動手段１２を有している。
すなわちこの背ボトム起伏連動手段１２として、移動基部１１の一端側には、付勢手段である、引張ばね１３を介して腰ボトム３ｂ寄りの端部側と連結する一方、移動基部１１の他端側に線状部材１４を、背ボトム３ａのヘッドボードＨＢ寄りの端部側に設けたプーリ１５に掛け渡し、前記線状部材１４をメインフレーム１６に取り付けて張設している。
【００１１】
本発明にかかる起伏式ボトム連動型側柵装置は以上のように構成されるものであり、次にその側柵装置２の作用について説明する。
例えばボトム３平担時、使用者がベッド装置１に横臥しているときは、側柵装置２を背ボトム３ａおよび足ボトム３ｄにおいて、ボトム下方から上方に持ち上げて保持するようにする。
その際、背ボトム３ａ側の側柵装置２は、前記背ボトム３ａのベッド幅方向端面におけるガイド部材１０上において、第１、第２ステー８、９基端側を取り付けた移動基部１１が、引張ばね１３によって腰ボトム３ｂ寄りに引っ張られているので、背ボトム３ａ側の側柵装置２は、足ボトム３ｄ側の側柵装置２に最接近した位置にある。すなわち、双方の柵部５間の間隔Ｌは最短な状態であり、使用者の転落を防止することができる（図１参照）。
【００１２】
次に、ベッド装置１の背上げ動作を行うと、背ボトム３ａ側の側柵装置２は、背ボトム３ａと共に傾斜する。
背ボトム３ａが傾斜するにつれ、背ボトム３ａのヘッドボードＨＢ寄りの端部側と、メインフレーム１６との間隔が広がっていくので、移動基部１１は、背ボトム３ａのヘッドボードＨＢ寄りの端部側のプーリ１５に掛け渡した線状部材１４によって、移動基部１１を腰ボトム３ｂ寄りに引っ張る引張ばね１３のばね力に抗して、ガイド部材１０上を背ボトム３ａのヘッドボードＨＢ寄りに移動せしめられる（図４参照）。
このように、背上げ動作によって、背ボトム３ａ側の側柵装置２は背ボトム３ａのヘッドボードＨＢ寄りに移動した状態となるので、背ボトム３ａ側の側柵装置２の柵部５は、足ボトム３ｄ側の側柵装置２の柵部５にぶつかるようなことはない（図５参照）。
【００１３】
そして前記背ボトム３ａを共に戻すべく、背下げ動作を行うと、背ボトム３ａのヘッドボードＨＢ寄りの端部側と、メインフレーム１６とが近接してくるので、前記背ボトム３ａ側の側柵装置２は、移動基部１１を腰ボトム３ｂ寄りに引っ張る引張ばね１３のばね力によって、ガイド部材１０上を腰ボトム３ｂ寄りに引き戻され（図６参照）、背ボトム３ａ側の側柵装置２は、足ボトム３ｄ側の側柵装置２に最接近した位置に復帰する（図１参照）。
このように、ボトム平担時に、背ボトム３ａ側の側柵装置２を、足ボトム３ｄ側の側柵装置２に近接した位置に配置する構成としても、背上げに伴って、背ボトム３ａ側の側柵装置２を、足ボトム３ｄ側の側柵装置２から遠ざかるように移動させる構造としたので、ギャッチ動作によって側柵の柵部５同士がぶつかり合うようなことはない。
【００１４】
以上、本発明にかかる起伏式ボトム連動型側柵装置について、上述のような側柵装置２を挙げ、説明したが、ベッド長手方向に沿って移動できるものであれば側柵の構造、およびギャッチ動作に伴って移動する機構は適宜である。
また、ギャッチベッドに限らず、ギャッチ機能のないベッドに前記側柵装置２のような格納型側柵を、手動的にベッド長手方向に沿って移動可能に装着することも可能である。さらにギャッチ機能のないベッドに通常の差込側柵をベッド長手方向に沿って移動調節可能に設けることも可能である。
【００１５】
【発明の効果】
以上の通り、本発明によれば、ボトム平担時に、背ボトム側の側柵装置を、足ボトム側の側柵装置に近接した位置に配置する構成としても、ギャッチ動作に伴って、背ボトム側の側柵装置を、足ボトム側の側柵装置から遠ざかるように移動させる構造としたので、ギャッチ動作によって側柵装置の柵部同士がぶつかり合うようなことはない。
【００１６】
【図面の簡単な説明】
【図１】本発明にかかる起伏式ボトム連動型側柵装置を適用したベッド装置の一例を示す全体側面説明図である。
【図２】図１に示すベッド装置の起伏式ボトム連動型側柵装置の取付構造を示した、要部側面説明図である。
【図３】図１に示すベッド装置の起伏式ボトム連動型側柵装置の取付構造を示した、別側面図である。
【図４】図１に示すベッド装置の背上げ動作時における、起伏式ボトム連動型側柵装置の作用を説明するための側面図である。
【図５】図１に示すベッド装置を背上げ動作させた際の全体側面説明図である。
【図６】図１に示すベッド装置の背下げ動作時における、起伏式ボトム連動型側柵装置の作用を説明するための側面図である。
【符号の説明】
１                      ベッド装置
２                      側柵装置
３                      ボトム
３ａ                    背ボトム
３ｂ                    腰ボトム
３ｃ                    膝ボトム
３ｄ                    足ボトム
３ｅ、３ｆ              湾曲ボトム
４                      支柱部
５                      柵部
６                      ロックユニット
７                      移動支持手段
８                      第１ステー
９                      第２ステー
１０                    ガイド部材
１１                    移動基部
１２                    背ボトム起伏連動手段
１３                    引張ばね
１４                    線状部材
１５                    プーリ
１６                    メインフレーム
ＨＢ                    ヘッドボード
【図１】
0003553895.tif 000002
【図２】
0003553895.tif 000003
【図３】
0003553895.tif 000004
【図４】
0003553895.tif 000005
【図５】
0003553895.tif 000006
【図６】
0003553895.tif 000007